(57)【要約】【課題】本発明の課題の一つは、目的の土地に容易に配置できるマーカ装置を提供することである。又、カメラ等のによって、容易にマーカの存在とその位置が確認できるマーカ装置を提供することも課題となる。さらには、消費電力を低く抑えて、長時間に渡って機能する基準点として機能するマーカ装置を提要することも課題となる。【解決手段】所定の周期でGPSシステムによる現在位置の計測を行い、３次元位置座標を計測する計測部、所定の周期で風向風速計の測定値を気象情報として受信する気象情報取得部、認証情報生成部、自己ＩＤ格納領域、現在位置格納領域、気象情報格納領域、パスワード格納領域そしてレスポンス格納領域を備える記憶部、現在の自位置を他のマーカ装置に発信する再発信部、現在の自位置の補正を行う補正部、自己ＩＤ、現在位置、気象情報そしてレスポンスを２次元コード化して表示する表示部を含む構成である。【選択図】図１
2015212621.tif 000002
【特許請求の範囲】
【請求項１】
地表への配置がされるマーカ装置であって、
ａ）自位置の３次元座標の計測をする計測手段と、
ｂ）前記計測の値を含むマーカ情報を２次元バーコードとして表示をする表示手段と、
を含む装置。
【請求項２】
前記配置は、空中からの散布によるものであることを特徴とする請求項１に記載の装置。
【請求項３】
外形が多面体又は平面体として構成され、少なくとも１つの面が前記２次元バーコードを表示する表示面であることを特徴とする請求項１に記載の装置。
【請求項４】
前記表示面の対局面に錘が備えられていることを特徴とする請求項３に記載の装置。
【請求項５】
前記計測は、全地球測位システムによる計測であることを特徴とする請求項１に記載の装置。
【請求項６】
前記表示手段は、電子ペーパーを構成に含むことを特徴とする請求項１に記載の装置。
【請求項７】
太陽電池を有する電源手段をさらに含むことを特徴とする請求項１に記載の装置。
【請求項８】
前記マーカ情報は、
予め所定の外部リストに登録した固有要素と、
外部から取得もしくは、内部で保持された、１つ又は複数の要素と、
を使い暗号化された情報を含み、複数要素認証を通じてマーカ装置が登録マーカか、登録外マーカかを認識することを特徴とする請求項１の装置。
【請求項９】
前記全地球測位システムから得られたデータを加工し、再発信をする再発信手段を備え、近隣に存在する他マーカ装置からの前記再発信を受信をして、前記計測の値を補正する精度向上手段をさらに含むことを特徴とする請求項５に記載の装置。
【請求項１０】
前記表示手段は、予め設定した電波信号、光学的ストロボ信号から選ばれる少なくとも１つを受信したときのみマーカ情報を表示する表示制御手段をさらに含むことを特徴とする請求項１に記載の装置。
【請求項１１】
気象情報の取得をする気象情報取得手段をさらに含み、
前記表示手段は、該気象情報と前記３次元座標を表示することを特徴とする請求項１に記載の装置。
【請求項１２】
前記表示に係る３次元座標は、該表示を撮像するカメラを備えた飛行体によって、該飛行体の航法に利用されることを特徴とする請求項１に記載の装置。
【請求項１３】
複数の計測点おいて、人工衛星もしくは高高度飛行物体から、前記表示が撮影されることで、リアルタイムな地殻変動計測に利用されることを特徴とする請求項１の装置。
【発明の詳細な説明】
【技術分野】
【０００１】
本発明は、土地に設定するマーカ装置、特に画像表示を介して位置の基準を提供するマーカ装置に関する。
【背景技術】
【０００２】
従来、土地の位置を把握する方式としては、自立航法／運行ユニットを含む移動体によって取得される自位置を基準とするものがあった。ここで、自立航法／運行ユニットとは、GPS（Global Positioning System）、重力センサー、加速度センサー、気圧センサー、３軸ジャイロ等の測定機器から構成されるユニットである。しかしながら、自立航法／運行ユニットにより提供される情報の精度や種類には、限界があった。
また、監視カメラからの画像又は映像において、映像内にある三次元地理座標が既知である基準点３点以上により算出する方式もあった。しかしながら、撮影範囲が広範囲にわたると画像又は映像内で認識できる大きさの基準点をその土地に配置することが困難である等の問題がある。
さらには、地殻変動を計測する方式として、GNSS定点static 計測をしている計測点間の情報通信を通じて地殻変動を検知し、変動後は測量を行い補正値を算出するという方式が採用されている。しかしながら、地殻変動をリアルタイムに計測することができない問題がある。
【先行技術文献】
【特許文献】
【０００３】
特許文献１は、航空機に搭載された撮像手段の映像から、リアルタイムに災害発生前の被害地点の地図と現在の被災状況とを迅速かつ正確に照合する位置判読装置に関するものである。
ＧＰＳで検出した自位置を無線送信する複数のマーカを目的の被災地域に投下して設置し、ヘリコプタに搭載したテレビカメラおよびマーカ位置情報受信機にて、マーカ位置を含むカメラ画像を撮影すると同時に各マーカからマーカ位置情報を受信し、このカメラ画像およびマーカ位置情報を実況情報として地上の位置判読装置に送信する方式が採用されている。
しかしながら、複数のマーカがカメラ画像内に存在している場合やカメラ画像内にマーカの像が確認できない場合に、自位置の送信に係るマーカを特定する問題がある。さらには、無線送信する方式のマーカの場合、消費電力の問題から長期間に渡る基準点として動作させることが困難である。
【特許文献１】特開2004-157397公報
【発明の概要】
【発明が解決しようとする課題】
【０００４】
本発明の課題の一つは、目的の土地に容易に配置できるマーカ装置を提供することである。
カメラ等のによって、容易にマーカの存在とその位置が確認できるマーカ装置を提供することも課題となる。
消費電力を低く抑えて、長時間に渡って機能する基準点として機能するマーカ装置を提要することも課題となる。
さらには、地殻変動計測をリアルタイムに実行可能とするマーカ装置を提供することを課題とする。
【課題を解決するための手段】
【０００５】
本発明の第1の観点によれば、
地表への配置がされるマーカ装置であって、
ａ）自位置の３次元座標の計測をする計測手段と、
ｂ）上記計測の値を含むマーカ情報を２次元バーコードとして表示をする表示手段と、
を含む装置が提供される。
【０００６】
ここで、上記配置は、空中からの散布によるものであるとしてもよい。
【０００７】
上記マーカ装置は、その外形が多面体又は平面体として構成され、少なくとも１つの面が上記２次元バーコードを表示する表示面であるとしてもよい。
【０００８】
上記表示面の対局面に錘が備えられているとしてもよい。
【０００９】
上記計測は、全地球測位システムによる計測であるとしてもよい。
【００１０】
上記表示手段は、電子ペーパーを構成に含むとしてもよい。
【００１１】
上記マーカ装置は、太陽電池を有する電源手段をさらに含むとしてもよい。  
【００１２】
前記マーカ情報は、
予め所定の外部リストに登録した固有要素と、
外部から取得もしくは、内部で保持された、１つ又は複数の要素と、
を使い暗号化された情報を含み、複数要素認証を通じてマーカ装置が登録マーカか、登録外マーカかを認識されるとしてもよい。
【００１３】
上記全地球測位システムから得られたデータを加工し、再発信をする再発信手段を備え、近隣に存在する他マーカ装置からの上記再発信を受信をして、上記計測の値を補正する精度向上手段をさらに含むとしてもよい。
【００１４】
上記表示手段は、予め設定した電波信号、光学的ストロボ信号から選ばれる少なくとも１つを受信したときのみマーカ情報を表示する表示制御手段をさらに含むとしてもよい。
【００１５】
上記マーカ装置は、気象情報の取得をする気象情報取得手段をさらに含み、
上記表示手段は、該気象情報と上記３次元座標を表示するとしてもよい。
【００１６】
上記表示に係る３次元座標は、該表示を撮像するカメラを備えた飛行体によって、該飛行体の航法に利用されるとしてもよい。
【００１７】
複数の計測点おいて、人工衛星もしくは高高度飛行物体から、上記表示が撮影されることで、リアルタイムな地殻変動計測に利用されるとしてもよい。
【図面の簡単な説明】
【００１８】
【図１】図１は、本発明をマーカ装置を配置した土地と、その上空を航行する飛行体を示した図である。
【図２】図２は、マーカ装置の外観図である。
【図３】図３はマーカ装置の機能構成を示したブロック図である。
【図４】図４は、マーカ装置の空中散布の様子を示したイメージ図である。
【図５】図５は、マーカ装置の変形例を示した図である。
【図６】図６は、配置済みのマーカ装置を利用する飛行体の機能構成を示したブロック図である。
【図７】図７は、マーカ装置が地殻変動計測に利用される場合のイメージ図である。
【発明を実施するための形態】
【００１９】
以下、本発明を実施するための形態につき図面を用いて説明する。
ここで示すマーカ装置や飛行体等の機能構成部の動作は、予め組み込まれたファームウエア等の制御プログラムを所定の回路のプロセッサーで実行し、実装された各種デバイスと協働することにより実現される。また、これらのプログラムは、コンピュータで読み取り可能な記録媒体に記録され、当該プロセッサーによって記録媒体から読み出され、ユーザが操作すること又はシステムを構成するデバイスからの信号を受信することをトリガに実行される。
【実施例１】
【００２０】
図１は、本発明をマーカ装置を配置した土地１００１と、その上空を航行する飛行体であるマルチコプタ１００２を示した図である。ここでマルチコプタには地上を撮像するカメラ１００３が備えられている。土地には、３つのマーカ装置１００４、１００５、１００６が配置されている。これらマーカ装置の上面には２次元バーコードが表示されており、マルチコプタに備えられたカメラ１００３で取得された画像から読取可能に表示される。ここでは、飛行体をマルチコプタとしているが、本発明の飛行体は、これに限られるものではない。飛行機、ヘリコプター、マルチコプタ、飛行船、気球、であってもよい。また、カメラはビデオでもよく、映像から表示を読取可能であるように構成しても良い。さらには、表示するものは２次元バーコードに限られず、ホログラム等であってもよい。
【００２１】
図２は、マーカ装置の外観図である。３つのマーカ装置は、同様の外観である。上段が平面図であり、下段が正面図ある。６面体を基本構成とする本体２００１と、底面に取り付けられた錘２００６という外観である。上面には、表示部を構成する電子ペーパー２００２、太陽電池２００３、送受信用アンテナ２００４、そして気象取得手段として風向風速計２００５が設けられている。送受信用アンテナ２００４は、無線基地局との通信と他のマーカ装置との通信とに利用される。
【００２２】
図３はマーカ装置の機能構成を示したブロック図である。計測部３００１は、所定の周期で現在位置の計測をGPSシステムにより行い、３次元位置座標を計測する。マーカ装置は、土地に配置され、不動なので長時間計測によって、精度の高い３次元座標を取得することができる。  ここで全地球測位システムの一つであるGPSシステムを採用したが、本願発明で採用可能な全地球測位システムはこれに限られるものではなく、準天頂衛星システムなどを適宜採用可能である。
【００２３】
気象情報取得部３００２は、所定の周期で風向風速計の測定値を気象情報として受信し、記憶部３００４に格納する。  認証情報生成部３００３は、マルチコプタの認証部に対して認証リクエストの送信をして、認証装置からチャレンジを含む通信文を受信する。そして、予め認証装置に登録するとともに記憶部３００４に格納していたパスワードと受信したチャレンジからレスポンスを合成し、記憶部３００４に格納する。  記憶部３００４は、自己ＩＤ格納領域、現在位置格納領域、気象情報格納領域、パスワード格納領域そしてレスポンス格納領域を備えている。再発信部３００５は、現在の自位置である３次元座標を通信文に加工して、他のマーカ装置に発信する。補正部３００６は、他のマーカ装置が再発信した３次元座標の通信文を受信して、現在の自位置の補正を行う。表示部３００７は、記憶部３００４に格納された自己ＩＤ、現在位置、気象情報そしてレスポンスを２次元コード化して、電子ペーパー２００２において表示する。表示は通常はオフとし、後で説明するように所定の複数認証情報を伝送する信号を受信して、認証が成立する表示をオンとする。このようにして消費電力を少なくして、長時間に渡る動作が実現される。ここで表示部に電子ペーパーを採用しているが、本願発明の表示部はこの構成に限定されるものではない。例えば、ホログラフィックディスプレーなども採用可能である。電源部３００８は、蓄電池と蓄電池に充電をする太陽電池とから構成されている。
【００２４】
図４は、マーカ装置の空中散布の様子を示したイメージ図である。土地１００１に対して、マルチコプタ４００１が３つのマーカ装置４００２〜４００４を矢印で示すように投下することにより、配置する方式である。
【００２５】
（マーカ装置の変形例）  図５は、マーカ装置の変形例を示した図である。本実施例では、１面のみに表示を設ける方式を採用したが、本発明のマーカ装置はこれに限られるものではない。図５の上段に示すように正６面体で６面全て表示部５００２を設けたマーカ装置５００１、下段に示すように表裏２面で両面に表示部５００４を設けたマーカ装置５００３などを適宜採用可能である。この場合、どの面が上になっても表示面となるので、錘は不要となる。
【００２６】
図６は、配置済みのマーカ装置を利用するマルチコプタ１００２の機能構成を示したブロック図である。撮像部６００１は、カメラ１００３を構成要素に含む。地表を撮像し、記録する。読取部６００２は、カメラ画像に含まれる２次元バーコードを読取る。マーカ装置の２次元バーコードであれば、自己ＩＤ、現在位置、気象情報そしてレスポンスを読取ることができる。ここで、読取部は通信部６００３と協働して、２次元バーコードの表示を休止しているマーカ装置に対して、表示依頼の信号を送信する。この信号は、複数認証情報を伝送するものとし、表示させるためにはマーカ装置における認証を必要とする。本発明の表示依頼の信号は、通常の通信による電波信号に限定されるものではなく、光学的ストロボを採用しても良い。通信部６００３は、無線装置１００４を構成要素に含み、他の機能構成部と協働して、マーカ装置との通信を行う。認証部６００４は、読取部が読取ったマーカ情報に含まれる自己ＩＤとレスポンスを複数要素認証する。航法部６００５は、GPS、重力センサー、加速度センサー、気圧センサー、３軸ジャイロ等のセンサーを含み自立航法に必要な３次元座標を含む航法情報を生成する。補正部６００６は、認証部で認証済みのマーカ装置の現在位置を利用して、航法情報に含まれる３次元座標を補正する。飛行制御部６００７は、補正された航法情報に基づいて、精密に飛行を制御する。
【００２７】
航法情報が補正されることにより、マルチコプタの飛行する経路が経路情報に対して誤差の少ない精密なものとなる。また、撮像したカメラ画像に位置情報を付与する場合、その３次元座標は精密なものとなり、カメラ画像とその地理的位置とのマッチングも正確となる効果がある。  
【実施例２】
【００２８】
図７は、マーカー装置を２つの半島を含むエリアの地殻変動計測に適用した場合のイメージ図である。実施例２の業務は、地殻変動を計測することである。マーカ装置の構成、設置など実施例１と同様の部分は割愛し、本実施例に特有の部分を説明する。
【００２９】
画像センサー（カメラ）７００２を備えた人工衛星７００１は、地殻変動計測の対象となる地域７００３の上空にある。この地域には、地殻変動を観測している２つの半島がある。２つの半島に挟まれた湾の奥には、自己位置を格納する２次元バーコードが表示されたマーカ装置７００４が配置されている。第１の半島７００５の突端には同様のマーカ装置７００６がある。さらに第２のの半島７００７の突端にも同様のマーカ装置７００８が配置されている。各マーカーは、必要に応じてリアルタイムに自己位置を計測し２次元バーコードの表示を更新する。また、マーカーの表示部は、１ｍ四方程度の大型電子ペーパーとし、表示部を天空に向けられる。このような構成により、人工衛星７００１の画像センサー７００２からの撮影の精度と確実性を向上させる。
【００３０】
自己位置の３次元座標を格納した２次元バーコードは、人工衛星７００１から撮影され、読取られる。そして、読取られた３次元の座標は、マーカーの位置する計測点の位置高度情報を示す。このような構成により、各計測点の位置高度情報がリアルタイムに取得される。
【００３１】
これまでは、地殻変動計測を人工衛星からの画像で精密に行うことが困難であった。GNSS定点static 計測をしている計測点間の情報通信を通じて地殻変動を検知し、変動後において測量を行い補正値を算出する方式で地殻変動計測を行っていた。
しかしながら、本実施例のシステムによって、地殻変動計測を人工衛星の業務とすることが可能となり、現状の方式で困難であったリアルタイム計測が可能となる。
【産業上の利用可能性】
【００３２】
本発明は、飛行体の航法支援、土地管理、土地調査など様々な業界において、適用可能である。
【符号の説明】
【００３３】
１００１  土地
１００２  マルチコプタ
１００３  カメラ
１００４  マーカ装置
１００５  マーカ装置
１００６  マーカ装置
【図１】
2015212621.tif 000003
【図２】
2015212621.tif 000004
【図３】
2015212621.tif 000005
【図４】
2015212621.tif 000006
【図５】
2015212621.tif 000007
【図６】
2015212621.tif 000008
【図７】
2015212621.tif 000009
【手続補正書】
【提出日】平成26年6月24日(2014.6.24)
【手続補正１】
【補正対象書類名】特許請求の範囲
【補正対象項目名】全文
【補正方法】変更
【補正の内容】
【特許請求の範囲】
【請求項１】
地表の複数地点への配置がされるマーカ装置であって、
ａ）自位置の３次元座標の計測をする計測手段と、
ｂ）前記計測の値を含むマーカ情報を２次元バーコードとして表示をする表示手段と、
を含む装置。
【請求項２】
前記配置は、空中からの散布によるものであることを特徴とする請求項１に記載の装置。
【請求項３】
外形が多面体又は平面体として構成され、少なくとも１つの面が前記２次元バーコードを
表示する表示面であることを特徴とする請求項１に記載の装置。
【請求項４】
前記表示面を上面としたときの底面に錘が備えられていることを特徴とする請求項３に記載の装置。
【請求項５】
前記計測は、全地球測位システムによる計測であることを特徴とする請求項１に記載の装置。
【請求項６】
前記表示手段は、電子ペーパーを構成に含むことを特徴とする請求項１に記載の装置。
【請求項７】
太陽電池を有する電源手段をさらに含むことを特徴とする請求項１に記載の装置。
【請求項８】
前記マーカ情報は、
予め前記表示を撮像するカメラを備えた飛行体に備えられた外部リストに登録した固有要素と、
前記飛行体から取得もしくは、内部で保持された、１つ又は複数の要素と、
を使い暗号化された情報を含み、複数要素認証を通じてマーカ装置が登録マーカか、登録外マーカかについて、前記飛行体によって認識されることを特徴とする請求項１の装置。
【請求項９】
前記表示手段は、予め設定した電波信号、光学的ストロボ信号から選ばれる少なくとも１
つを受信したときのみマーカ情報を表示する表示制御手段をさらに含むことを特徴とする
請求項１に記載の装置。
【請求項１０】
気象情報の取得をする気象情報取得手段をさらに含み、
前記表示手段は、該気象情報と前記３次元座標を表示することを特徴とする請求項１に記載の装置。
【請求項１１】
ａ）自位置の３次元座標の計測をする計測手段と、
ｂ）前記計測の値を含むマーカ情報を２次元バーコードとして表示をする表示手段と、
を含むマーカ装置を地上に配置し、
前記表示手段を撮像するカメラを備えた飛行体によって、前記３次元座標を取得させ、該飛行体の航法に利用させることを特徴とする航法の支援方法。
【請求項１２】
ａ）自位置の３次元座標の計測をする計測手段と、
ｂ）前記計測の値を含むマーカ情報を２次元バーコードとして表示をする表示手段と、
を含むマーカ装置を複数の計測点おいて配置し、
前記表示手段を撮像するカメラを備えた人工衛星もしくは高高度飛行物体によって、前記３次元座標を取得させ、リアルタイムな地殻変動計測に利用することを地殻変動計測の支援方法。
【手続補正２】
【補正対象書類名】明細書
【補正対象項目名】０００５
【補正方法】変更
【補正の内容】
【０００５】
本発明の第1の観点によれば、
地表の複数地点への配置がされるマーカ装置であって、
ａ）自位置の３次元座標の計測をする計測手段と、
ｂ）上記計測の値を含むマーカ情報を２次元バーコードとして表示をする表示手段と、
を含む装置が提供される。
【手続補正３】
【補正対象書類名】明細書
【補正対象項目名】０００８
【補正方法】変更
【補正の内容】
【０００８】
上記表示面を上面としたときの底面に錘が備えられているとしてもよい。
【手続補正４】
【補正対象書類名】明細書
【補正対象項目名】００１２
【補正方法】変更
【補正の内容】
【００１２】
上記マーカ情報は、予め上記表示を撮像するカメラを備えた飛行体に備えられた外部リストに登録した固有要素と、上記飛行体から取得もしくは、内部で保持された、１つ又は複数の要素と、を使い暗号化された情報を含み、
複数要素認証を通じてマーカ装置が登録マーカか、登録外マーカかについて、上記飛行体によって認識されるとしてもよい。
【手続補正５】
【補正対象書類名】明細書
【補正対象項目名】００１６
【補正方法】変更
【補正の内容】
【００１６】
本発明の第２の観点の発明によれば、
ａ）自位置の３次元座標の計測をする計測手段と、
ｂ）この計測の値を含むマーカ情報を２次元バーコードとして表示をする表示手段と、
を含むマーカ装置を地上に配置し、
この表示手段を撮像するカメラを備えた飛行体によって、上記３次元座標を取得させ、該飛行体の航法に利用させることを特徴とする航法の支援方法が提供される。
【手続補正６】
【補正対象書類名】明細書
【補正対象項目名】００１７
【補正方法】変更
【補正の内容】
【００１７】
本発明の第３の観点の発明によれば、
ａ）自位置の３次元座標の計測をする計測手段と、
ｂ）この計測の値を含むマーカ情報を２次元バーコードとして表示をする表示手段と、
を含むマーカ装置を複数の計測点おいて配置し、
この表示手段を撮像するカメラを備えた人工衛星もしくは高高度飛行物体によって、上記３次元座標を取得させ、リアルタイムな地殻変動計測に利用することを地殻変動計測の支援方法が提供される。
【手続補正７】
【補正対象書類名】明細書
【補正対象項目名】００２３
【補正方法】変更
【補正の内容】
【００２３】
気象情報取得部３００２は、所定の周期で風向風速計の測定値を気象情報として受信し、記憶部３００４に格納する。  認証情報生成部３００３は、マルチコプタの認証部に対して認証リクエストの送信をして、認証装置からチャレンジを含む通信文を受信する。そして、予め認証装置に登録するとともに記憶部３００４に格納していたパスワードと受信したチャレンジからレスポンスを合成し、記憶部３００４に格納する。  記憶部３００４は、自己ＩＤ格納領域、現在位置格納領域、気象情報格納領域、パスワード格納領域そしてレスポンス格納領域を備えている。再発信部３００５は、現在の自位置である３次元座標を通信文に加工して、他のマーカ装置に発信する。補正部３００６は、他のマーカ装置が再発信した３次元座標の通信文を受信して、現在の自位置の補正を行う。表示部３００７は、記憶部３００４に格納された自己ＩＤ、現在位置、気象情報そしてレスポンスを２次元コード化して、電子ペーパー２００２において表示する。表示は通常はオフとし、後で説明するように所定の複数認証情報を伝送する信号を受信して、認証が成立すると、表示をオンとする。このようにして消費電力を少なくして、長時間に渡る動作が実現される。ここで表示部に電子ペーパーを採用しているが、本願発明の表示部はこの構成に限定されるものではない。例えば、ホログラフィックディスプレーなども採用可能である。
電源部３００８は、蓄電池と蓄電池に充電をする太陽電池とから構成されている。
【手続補正書】
【提出日】平成26年10月16日(2014.10.16)
【手続補正１】
【補正対象書類名】特許請求の範囲
【補正対象項目名】全文
【補正方法】変更
【補正の内容】
【特許請求の範囲】
【請求項１】
位置基準を提供する、地表の複数地点への配置がされるマーカ装置を含むシステムであって、
前記マーカ装置は、
ａ）自位置の３次元座標の計測をする計測手段と、
ｂ）前記計測の値、該マーカ装置の自己ＩＤ、該マーカ装置のレスポンスを含むマーカ情報を２次元バーコードとして表示をする表示手段と、
を含み、
前記表示は、カメラを備える飛行体によって、撮像され、読取られ、
前記マーカ情報は、該マーカ情報に含まれる要素が複数要素認証されるものであって、
前記レスポンスは、前記飛行体から受信した通信文に含まれるチャレンジと前記マーカ装置の記憶手段に格納されたパスワードとから合成されることを特徴とするシステム。
【請求項２】
前記配置は、空中からの散布によるものであることを特徴とする請求項１に記載のシステム。
【請求項３】
前記マーカ装置は、外形が多面体又は平面体として構成され、少なくとも１つの面が前記２次元バーコードを表示する表示面であることを特徴とする請求項１に記載のシステム。
【請求項４】
前記表示面を上面としたときの底面に錘が備えられていることを特徴とする請求項３に記載のシステム。
【請求項５】
前記計測は、全地球測位システムによる計測であることを特徴とする請求項１に記載のシステム。
【請求項６】
前記表示手段は、電子ペーパーを構成に含むことを特徴とする請求項１に記載のシステム。
【請求項７】
前記マーカ装置は、太陽電池を有する電源手段をさらに含むことを特徴とする請求項１に記載のシステム。
【請求項８】
前記表示手段は、予め設定した電波信号、光学的ストロボ信号から選ばれる少なくとも１つを受信したときのみマーカ情報を表示する表示制御手段をさらに含むことを特徴とする請求項１に記載のシステム。
【請求項９】
前記マーカ装置は、気象情報の取得をする気象情報取得手段をさらに含み、
前記表示手段は、該気象情報と前記３次元座標を表示することを特徴とする請求項１に記載のシステム。
【請求項１０】
ａ）自位置の３次元座標の計測をする計測手段と、
ｂ）前記計測の値、該マーカ装置の自己ＩＤ、該マーカ装置のレスポンスを含むマーカ情報を２次元バーコードとして表示をする表示手段と、
を含むマーカ装置を地表の複数地点へ配置し、
前記表示は、カメラを備える飛行体によって、撮像され、読取られ、
前記マーカ情報は、該マーカ情報に含まれる要素が複数要素認証されるものであって、
前記レスポンスは、前記飛行体から受信した通信文に含まれるチャレンジと前記マーカ装置の記憶手段に格納されたパスワードとから合成され、
前記表示手段を撮像する前記飛行体によって、前記３次元座標を取得させ、
該飛行体の航法に利用させることを特徴とする航法の支援方法。
【手続補正２】
【補正対象書類名】明細書
【補正対象項目名】０００５
【補正方法】変更
【補正の内容】
【０００５】
本発明の第1の観点によれば、
地位置基準を提供する、地表の複数地点への配置がされるマーカ装置を含むシステムであって、
上記マーカ装置は、
ａ）自位置の３次元座標の計測をする計測手段と、
ｂ）上記計測の値、該マーカ装置の自己ＩＤ、該マーカ装置のレスポンスを含むマーカ情報を２次元バーコードとして表示をする表示手段と、
を含み、
上記表示は、カメラを備える飛行体によって、撮像され、読取られ、
上記マーカ情報は、該マーカ情報に含まれる要素が複数要素認証されるものであって、
上記レスポンスは、上記飛行体から受信した通信文に含まれるチャレンジと上記マーカ装置の記憶手段に格納されたパスワードとから合成されることを特徴とするシステムが提供される。
【手続補正３】
【補正対象書類名】明細書
【補正対象項目名】００１２
【補正方法】変更
【補正の内容】
【００１２】
（削除）
【手続補正４】
【補正対象書類名】明細書
【補正対象項目名】００１６
【補正方法】変更
【補正の内容】
【００１６】
本発明の第２の観点の発明によれば、
ａ）自位置の３次元座標の計測をする計測手段と、
ｂ）上記計測の値、該マーカ装置の自己ＩＤ、該マーカ装置のレスポンスを含むマーカ情報を２次元バーコードとして表示をする表示手段と、
を含むマーカ装置を地表の複数地点へ配置し、
上記表示は、カメラを備える飛行体によって、撮像され、読取られ、
上記マーカ情報は、該マーカ情報に含まれる要素が複数要素認証されるものであって、
上記レスポンスは、上記飛行体から受信した通信文に含まれるチャレンジと上記マーカ装置の記憶手段に格納されたパスワードとから合成され、
上記表示手段を撮像する上記飛行体によって、上記３次元座標を取得させ、該飛行体の航法に利用させることを特徴とする航法の支援方法が提供される。
【手続補正５】
【補正対象書類名】明細書
【補正対象項目名】００１７
【補正方法】変更
【補正の内容】
【００１７】
（削除）